(57)【要約】      （修正有）【課題】簡単に採尿でき、定量採取もできる尿採取キットを提供する。【解決手段】尿採取キット１は、採尿容器２の開口部２１より大きな流入口３０を有し、被検者からの尿５を開口部２１へ案内するためのじょうご３と、開口部２１に取り付けられ、じょうご３内の尿５を採尿容器２内へ導入するためのノズル４とを備える。さらに、ノズル４は、開口部２１に取り付けられる栓体４０と、じょうご３内の尿５を採尿容器２内へ導入するための尿導入孔４１と、開口した一端４２ａが採尿容器２内に、開口した他端４２ｂが採尿容器２外に位置し、尿５が尿導入孔４１を通って採尿容器２内へ導入されているときに、採尿容器２内の空気を外部へ導出するための空気導出管４２とを備える。また、採尿容器２に所定量の尿５が採取されたときに、採尿容器２内の尿５が空気導出管４２の一端４２ｂを塞ぐことにより、じょうご３内の尿５が尿導入孔４１を通って採尿容器２内に導入されないようにする。【選択図】図５
0003178921.tif 000002
【実用新案登録請求の範囲】
【請求項１】
被検者の尿を採尿容器に定量採取するための尿採取キットであって、
前記採尿容器の開口部より大きな流入口を有し、前記被検者からの前記尿を前記開口部へ案内するためのじょうごと、
前記開口部に取り付けられ、前記じょうご内の前記尿を前記採尿容器内へ導入するためのノズルと、を備え、
前記ノズルは、
前記開口部に取り付けられる栓体と、
前記じょうご内の前記尿を前記採尿容器内へ導入するための尿導入孔と、
前記栓体を貫通してのび、開口した一端が前記採尿容器内に、開口した他端が前記採尿容器外に位置し、前記尿が前記尿導入孔を通って前記採尿容器内へ導入されているときに、前記採尿容器内の空気を外部へ導出するための空気導出管と、を備え、
前記採尿容器に所定量の前記尿が採取されたときに、前記採尿容器内の前記尿が前記空気導出管の前記一端を塞ぐことにより、前記じょうご内の前記尿が前記尿導入孔を通って前記採尿容器内に導入されないようにすることを特徴とする尿採取キット。
【請求項２】
前記じょうごは、前記流入口を閉じるように半分に折り畳み可能であることを特徴とする請求項１に記載の尿採取キット。
【請求項３】
前記空気導出管の前記他端が横方向に開口し、
前記ノズルは、前記空気導出管の前記他端よりも上方に、前記被検者からの前記尿が前記他端から前記空気導出管へ侵入することを防止するための傘部を備えることを特徴とする請求項１または請求項２に記載の尿採取キット。
【考案の詳細な説明】
【技術分野】
【０００１】
本考案は、採尿容器に尿を定量採取するために使用する尿採取キットに関する。
【背景技術】
【０００２】
尿は、被検者から簡単かつ大量に採取することができる検体であり、尿検査は人間の健康状態を簡単かつ迅速に調べることができる。尿検査によって、例えば、糖尿病、膵炎、腎炎、ネフローゼ、腎不全、肝障害、膀胱腫瘍、高血圧などの様々な疾患を調べることができる。そのため、尿検査は、全国の病院、検査センターなどで広く実施されている。
【０００３】
従来から一般的に行われている尿検査は、次のような手順である。
被検者は、まずコップを準備する。コップが、組立式の紙コップまたは樹脂コップのときは、コップを組み立てる。そして、コップに向けて放尿し、コップ内にある程度の量の尿を溜める。続いて、コップに貯めた溜めた尿をスポイトで吸い取って尿検査に必要な分だけ定量採取する。
【０００４】
尿が入ったスポイトは、病院、検査センターへ搬送される。検査者は、スポイト内の尿をスピッツ管に移し替え、遠心分離機などの検査機にかけて、尿の成分を分析する。若しくは、スポイト内の尿を試験管に移し替え、試験紙を試験管内の尿に付けて、試験紙の反応を見る。
【０００５】
上記のような組立式コップおよびスポイトを用いた尿検査方法は、市場に定着しており、安価に実施することができるという利点がある。しかしながら、組立式コップを組み立てたり、コップに採取した尿をスポイトへ移し替えたりしなければならないなど、時間が掛ってしまうし、面倒である。また、スポイトで尿を定量採取しにくく、被検者にとっての負担は大きい。さらに、検査者は、スポイト内の尿をスピッツ管または試験管に移し替えなければならない。このように、上記の方法は、従来から市場に定着しているものの手順が多く、被検者および検査者の双方にとって面倒なことが多い。
【０００６】
また、特許文献１のような採尿用容器が提案されている。この採尿用容器では、被検者が採尿用容器に設けられた採尿口に向かって尿を掛けるだけで、余剰な尿を採取することなく、尿検査に必要な量の尿を確実に採取することができる。すなわち、特許文献１の採尿用容器では、スポイトを用いることなく、尿を定量採取することができる。
【０００７】
さらに、採尿用容器に採取した尿を、スピッツ管に移し替えることなくそのまま検査機にかけて尿の成分分析ができるため、尿検査を完了するまでの手順が少ないという利点がる。
【０００８】
しかしながら、この採尿用容器は、採尿口が非常に小さいため、被検者が採尿口を狙って尿を掛けにくく、採尿のしやすさに個人差がある。被検者が男性か、女性かによっても採尿のしやすさが異なる。さらに、検査機にそのままセットすることができるものの、当該採尿用容器に対応可能な検査機が少ないという実情もある。また、この採尿用容器では、組立式コップおよびスポイトのセットよりも、コストが高くなってしまう。
【先行技術文献】
【特許文献】
【０００９】
【特許文献１】特開２００３−２１５１２１号公報
【考案の概要】
【考案が解決しようとする課題】
【００１０】
そこで、本考案が解決しようする課題は、簡単に採尿でき、定量採取もできる尿採取キットを提供することにある。
【課題を解決するための手段】
【００１１】
上記課題を解決するために、本考案に係る尿採取キットは、被検者の尿を採尿容器に定量採取するための尿採取キットであって、採尿容器の開口部より大きな流入口を有し、被検者からの尿を開口部へ案内するためのじょうごと、開口部に取り付けられ、じょうご内の尿を採尿容器内へ導入するためのノズルと、を備え、
ノズルは、開口部に取り付けられる栓体と、じょうご内の尿を採尿容器内へ導入するための尿導入孔と、栓体を貫通してのび、開口した一端が前記採尿容器内に、開口した他端が前記採尿容器外に位置し、尿が尿導入孔を通って採尿容器内へ導入されているときに、採尿容器内の空気を外部へ導出するための空気導出管と、を備え、
採尿容器に所定量の尿が採取されたときに、採尿容器内の尿が空気導出管の一端を塞ぐことにより、じょうご内の尿が尿導入孔を通って採尿容器内に導入されないようにすることを特徴とする。
【００１２】
好ましくは、じょうごは、流入口を閉じるように半分に折り畳み可能である。
【００１３】
好ましくは、空気導出管の他端が横方向に開口し、ノズルは、空気導出管の他端よりも上方に、被検者からの尿が他端から空気導出管へ侵入することを防止するための傘部を備える。
【考案の効果】
【００１４】
本考案に係る尿採取キットは、採尿容器（スピッツ管、試験管など）の開口部よりも大きな流入口を有し、被検者からの尿を開口部へ案内するじょうごを備えている。すなわち、採尿の際に、被検者は採尿容器の小さな開口部を狙って尿を掛けるのではなく、開口部よりも大きなじょうごの流入口を狙って尿を掛ければよい。したがって、本考案に係る尿採取キットでは、従来のように採尿口が小さいことによる採尿のしにくさはなくなり、個体差なく、男性および女性の双方にとって採尿しやすい構成になっている。
【００１５】
さらに、本考案に係る尿採取キットは、ノズルの尿導入管を介して採尿容器に尿が採取されて所定量に達すると、採尿容器内の尿がノズルの空気導出管の一端を塞ぐ。これにより、採尿容器内の空気が外部へ出ることができなくなり、じょうご内の尿が尿導入孔を通って採尿容器内に入ることができなくなる。すなわち、採尿容器に一定の量の尿が採取されると、じょうご内に尿があってもじょうご内から採尿容器内への尿の導入が自動的に止まるようになっている。したがって、採尿容器に対する空気導出管の一端の位置を設定すれば、採尿容器に所望の量の尿を定量採取することが簡単に、しかも短時間できる。その他の本考案の効果は、以下の実施形態で説明する。
【図面の簡単な説明】
【００１６】
【図１】本考案に係る尿採取キットを採尿容器に取り付けた様子を示す図である。
【図２】図１の尿採取キットおよび採尿容器の断面図である。
【図３】図１の尿採取キットの平面図である。
【図４】本考案に係る尿採取キットのノズルの図であり、図４Ａは上方から見た斜視図であり、図４Ｂは下方から見た斜視図である。
【図５】本考案に係る尿採取キットを用いた採尿を説明するための図である。
【図６】本考案に係る尿採取キットを用いた採尿を説明するための図である。
【図７】本考案に係る尿採取キットのノズルの他の実施形態を示す図である。
【考案を実施するための形態】
【００１７】
以下、図面を参照して、本考案に係る尿採取キットについて説明する。
【００１８】
図１および図２は、尿採取キットの使用状態を示す図であり、図２は、図１の断面図である。図１および図２に示すように、尿採取キット１は、採尿容器２に取り付けて使用する。
【００１９】
採尿容器２は、縦に細長い容器であることが好ましく、具体的には、スピッツ管、試験管などである。本実施形態では、採尿容器２はスピッツ管である。採尿容器２は、ねじ部２０に螺合し、開口部２１（図２）を密閉する不図示のキャップを有する。当該キャップを取り外して、採尿容器２の開口部２１に尿採取キット１を取り付ける。
【００２０】
尿採取キット１は、被検者からの尿５（図５等）を採尿容器２の開口部２１にまで案内するためのじょうご３と、開口部２１に取り付けられ、じょうご３からの尿５を採尿容器２へ導入するためのノズル４と、からなる。
【００２１】
じょうご３は、上側に流入口３０を、下側に流出口３１を備える。流入口３０は採尿容器２の開口部２１よりも十分に大きく、流出口３１は開口部２１よりも僅かに大きく、流入口３０から流出口３１に向かってテーパー状に窄まる形状となっている。
【００２２】
じょうご３は、図３の平面図に示すように、平面視でラグビーボール型の略楕円形状であり、長軸方向に折り目３２が形成される。該折り目３２に沿って半分に折り畳むことにより大きな流入口３０を閉じることができ、尿採取キット１をコンパクトに収納することができる。
【００２３】
ノズル４は、図４に詳細に示されるように、採尿容器２の開口部２１に取り付けるための栓体４０と、尿５を採尿容器２へ導入するための尿導入孔４１と、採尿容器２内の空気を外部へ導出するための空気導出管４２とを備える。
【００２４】
栓体４０は、フランジ部４３と、フランジ部４３よりも下側に円筒部４４とを備える。円筒部４４の外径は、採尿容器２の内径と同じ、または僅かに小さい。円筒部４４の外周面に、径が採尿容器２の内径よりも僅かに大きな環状リブ４５が上下に二つ形成されることにより、円筒部４４を採尿容器２に圧入できる構成になっている。
【００２５】
尿導入孔４１は、栓体４０に上下方向に形成された貫通孔である。本実施例では、尿導入孔４１は４つ形成されているが、尿導入孔４１の数はこれに限定されるものではない。
【００２６】
空気導出管４２は、栓体４０を貫通して上下方向にのびる。空気導出管４２の一端（下端）４２ａは下向きに開口し、他端（上端）４２ｂは上向きに開口し、これにより空気が空気導出管４２を通って移動することができる。空気導出管４２は、円筒部４４の内側を通るようにのび、その一端４２ａが円筒部４４の下端よりも下方に突出する。実施例では、栓体４０と空気導出管４２とは一体形成されている。
【００２７】
じょうご３とノズル４とは別部品であるが、図２に示すように、ノズル４は、流出口３１側においてじょうご３に取り付けられており、じょうご３とノズル４とは一体になっている。ノズル４のフランジ部４３が流出口３１に嵌入され、フランジ部４３の下面が流出口３１の下縁に係止され、ノズル４の円筒部４４がじょうご３の流出口３１から下方に突出している。
【００２８】
図２に示すように、フランジ部４３の下面が採尿容器２の開口部２１の上端縁に当接するまで円筒部４４を採尿容器２に圧入して嵌合することにより、ノズル４が採尿容器２の開口部２１に取り付けられる。こうして、尿採取キット１が採尿容器２に取り付けられ、空気導出管４２の一端４２ａが採尿容器２内に位置し、他端４２ｂが採尿容器２外に位置する。
【００２９】
尿採取キット１が採尿容器２に取り付けられると、ノズル４の円筒部４４と採尿容器２の内面とが密接してシールされ、これらの間から尿５および空気が漏れることはなく、尿５および空気はノズル４の尿導入孔４１および空気導出管４２を通ってしか採尿容器２の内外を移動できない。
【００３０】
次に、図５および図６を参照して、尿採取キット１により被検者の尿５を採尿容器２内に定量採取する構成について説明する。被検者は、上述のようにして、尿採取キット１を採尿容器２に取り付ける。被検者は、じょうご３の流入口３０を狙って尿５を掛ける。このとき、じょうご３の流入口３０は採尿容器２の開口部２１よりも十分大きいので、被検者が狙いを外すことなく流入口３０に向けて簡単に放尿でき、被検者に煩わしさや負担を与えない。
【００３１】
図５Ａに示すように、じょうご３内に尿５が入ると、尿５は流出口３１から尿導入孔４１を通って採尿容器２内へ導入される。そして、尿５がじょうご３内から採尿容器２内に導入されている際、採尿容器２内の空気がノズル４の空気導出管４２を通って採尿容器２の外部へ導出される。
【００３２】
このようにして、被検者からの尿５が採尿容器２内に導入され、尿５が採尿容器２内に溜まっていくと、採尿容器２内の尿５の液面５０が上昇していく。そして、採尿容器２に所定量の尿５が採取されると、図５Ｂに示すように、尿５の液面５０が空気導出管４２の一端４２ａに達し、尿５が空気導出管４２の一端４２ａを塞ぐ。これによって、採尿容器２内の空気を外部へ導出することができなくなり、その結果、じょうご３内の尿５は尿導入孔４１を通って採尿容器２内へ流入することができなくなる。
【００３３】
すなわち、採尿容器２内の尿５の液面５０が空気導出管４２の一端４２ａに達した時点で、じょうご３内に尿５が溜まっていても、じょうご３内から採尿容器２内への尿５の流入が自動的に止まり、尿５を採尿容器２に所定量だけ採取することができる。
【００３４】
したがって、尿採取キット１を採尿容器２に取り付けたときの採尿容器２に対する空気導出管４２の一端４２ａの位置を予め設定しておけば、尿検査に必要な所望の量だけの尿５を簡単に定量採取することが可能となる。
【００３５】
それから、図６Ａに示すように、尿採取キット１および採尿容器２を逆さまに傾けて、じょうご３内に溜まった尿５を、すなわち余尿を排出する。このとき、空気導出管４２の孔の径を適切に設定すれば逆止弁効果が得られ、尿採取キット１および採尿容器２をある程度逆さまに傾けても採尿容器２内の尿５がこぼれ出ることがなく、じょうご３内の余尿だけが排出される。
【００３６】
尿採取キット１および採尿容器２をもとの状態に戻すと、図６Ｂに示すように、じょうご３内の尿５は全て排出され、採尿容器２内に採取した定量分の尿５が溜まっている。そして、尿採取キット１を採尿容器２から取り外して、開口部２１にキャップを取り付ければ採尿は終わる。
【００３７】
以上のように、尿採取キット１を用いると、被検者の尿５を、従来のような組立式コップおよびスポイトを使用することなく、簡単かつ短時間で採尿容器２に定量採取することができる。被検者は、尿採取キット１を採尿容器２に取り付け、じょうご３の流入口３０に向けて放尿し、じょうご３の余尿を排出し、尿採取キット１を取り外してキャップを付けるだけで、採尿が完了する。そして、本実施形態では、採尿容器２はスピッツ管であるので、採尿後、スピッツ管をそのまま遠心分離機にかけて尿検査を実施することができる。すなわち、従来のように組立式コップに尿５を溜めて、それをスポイトで定量採取し、さらにスピッツ管に移し替えて遠心分離機にかけるという煩わしい作業が不要である。
【００３８】
また、尿採取キット１は、従来から広く汎用されている採尿容器（スピッツ管、試験管など）２に適用することができるので、特許文献１の採尿用容器のように対象検査機が少ないという問題もない。
【００３９】
また、尿採取キット１は、上記のとおり、じょうご３およびノズル４の比較的簡単な構成であって、全体としてのコストも高くない。
【００４０】
なお、上記実施形態では、ノズル４の空気導出管４２の他端４２ｂが上向きに開口しているため、被検者がじょうご３の流入口３０に向かって放尿する際に、被検者からの尿５が他端４２ｂから空気導出管４２に侵入して、採尿容器２内からの空気の導出を阻害する虞がある。すなわち、尿５によって空気導出管４２が目詰まりする虞がある。
【００４１】
そこで、図７に示すようなノズル４を採用してもよい。図７のノズル４は、空気導出管４２の他端４２ｂが横方向に開口している。ノズル４は、空気導出管４２の他端４２ｂよりも上方に円形状の傘部４６を備える。栓体４０、空気導出管４２および傘部４６は、一体形成されている。その他の構成は、図４のノズル４と同一である。
【００４２】
上記構成によれば、尿採取キット１による採尿時に、被検者からの尿５が傘部４６の上面に当たって、そのまま傘部４６の周縁から流れ落ちるようになっているため、被検者からの尿５が他端４２ｂから空気導出管４２へ侵入することが防止され、採尿時の空気の導出が阻害されず、目詰まりしない。
【００４３】
以上、本考案の好ましい実施形態を説明したが、本考案の構成は本実施形態に限定されるものではない。
【符号の説明】
【００４４】
１  尿採取キット
２  採尿容器
２１  開口部
３  じょうご
３０  流入口
４  ノズル
４０  栓体
４１  尿導入孔
４２  空気導出管
４２ａ  空気導出管の一端
４２ｂ  空気導出管の他端
５  尿
【図１】
0003178921.tif 000003
【図２】
0003178921.tif 000004
【図３】
0003178921.tif 000005
【図４】
0003178921.tif 000006
【図５】
0003178921.tif 000007
【図６】
0003178921.tif 000008
【図７】
0003178921.tif 000009